【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
長手軸を中心として前記長手軸に沿って前記長手軸の周りに延びた、円筒形状の本体部材であって、円板形状の第1本体部材端面と、その反対側の円板形状の第2本体部材端面と、前記第1および第2本体部材端面の間で長手方向に延び、前記長手軸から径方向に配置され、円筒形状の外面とを有する本体部材と、
前記本体部材に接続され、前記第1本体部材端面から長手方向に前記長手軸を中心として前記長手軸の周りに突出し、円筒形状の第1ねじシャフト部と、
前記第2本体部材端面から突出し、長手方向に前記長手軸を中心として前記長手軸の周りに延び、円筒形状の第2ねじシャフト部と、
前記長手軸に沿って前記長手軸を中心として前記長手軸の周りに延び、前記本体部材に接続されて前記本体部材の前記円筒形状の外面を包囲しており、環形状の導電性内側スリーブと、
前記長手軸に沿って前記長手軸を中心として前記長手軸の周りに延び、前記内側スリーブに接続されて前記内側スリーブを包囲しており、環形状の電気絶縁性外側スリーブとを備えている、コネクタプラグアセンブリ。
【請求項２】
前記第1および第2ねじシャフト部の少なくとも一方にねじ式に係合する寸法に形成された雌ねじナットをさらに備えている、請求項1に記載のコネクタプラグアセンブリ。
【請求項３】
前記本体部材が、前記第1および第2本体部材端面の間で長手方向に延びた長さである本体部材長さを有し、前記内側スリーブが、長手方向に延びた長さである内側スリーブ長さを有し、前記外側スリーブが、長手方向に延びた長さである外側スリーブ長さを有し、前記内側スリーブ長さは、前記本体部材長さおよび前記外側スリーブ長さよりも長くされている、請求項1に記載のコネクタプラグアセンブリ。
【請求項４】
前記内側スリーブが、第1内側スリーブ環状端面およびその反対側の第2内側スリーブ環状端面を有し、前記内側スリーブ長さが、前記第1および第2内側スリーブ環状端面の間を延びているものであり、前記外側スリーブが、第1外側スリーブ環状端面およびその反対側の第2外側スリーブ環状端面を有し、前記外側スリーブ長さが、前記第1および第2外側スリーブ環状端面の間を延びているものである、請求項3に記載のコネクタプラグアセンブリ。
【請求項５】
前記本体部材、前記内側スリーブおよび前記外側スリーブは、前記第1および第2内側スリーブ環状端面のそれぞれが、前記第1および第2本体部材端面のそれぞれならびに前記第1および第2外側スリーブ環状端面のそれぞれを越えて延びるように、互いに対して配置されている、請求項4に記載のコネクタプラグアセンブリ。
【請求項６】
前記外側スリーブが、外側スリーブ外面を有するとともに、前記外側スリーブ外面に形成された外向き周方向溝を含んでいる、請求項1に記載のコネクタプラグアセンブリ。
【請求項７】
前記外側スリーブが、当該外側スリーブの遠位端に配置された第1フランジ要素と、前記第1フランジ要素から離隔して前記第1フランジ要素の近傍に配置された第2フランジ要素とを含み、前記外向き周方向溝が、前記第1および第2フランジ要素の間に配置されている、請求項6に記載のコネクタプラグアセンブリ。
【請求項８】
前記外側スリーブが、第1外側スリーブ環状端面およびその反対側の第2外側スリーブ環状端面を有し、前記第1フランジ要素が、前記第1外側スリーブ環状端面を形成するとともに、環状開口部を、前記内側スリーブとの間で前記外側スリーブに形成し、前記環状開口部は、前記第1外側スリーブ環状端面から始まって、前記外側スリーブ内へと延びている、請求項7に記載のコネクタプラグアセンブリ。
【請求項９】
前記本体部材が、鋼または鋼合金で形成されており、前記内側スリーブが、銅または銅合金で形成されている、請求項1に記載のコネクタプラグアセンブリ。
【請求項１０】
長手軸に沿って前記長手軸の周りに延び、第1内側スリーブ環状端面およびその反対側の第2内側スリーブ環状端面を有する導電性内側スリーブであって、前記第1および第2内側スリーブ環状端面を通って前記第1および第2内側スリーブ環状端面の間に、前記長手軸に沿って前記長手軸の周りに延びた内側スリーブ貫通孔が設けられており、前記内側スリーブ貫通穴は、第1内側スリーブ孔部直径を有する第1内側スリーブ孔部、第2内側スリーブ孔部直径を有する第2内側スリーブ孔部、および第3内側スリーブ孔部直径を有する第3内側スリーブ孔部を有し、前記第2内側スリーブ孔部は、前記第1および第3内側スリーブ孔部の間に配置されてねじ山が形成されており、前記第2内側スリーブ孔部直径は、前記第1および第3内側スリーブ孔部直径よりも小さくされている内側スリーブと、
前記長手軸に沿って前記長手軸の周りに延びており、第1シャフト部、第2シャフト部および第3シャフト部を有するシャフトであって、前記第2シャフト部は、前記第1および第3シャフト部の間に配置され、前記第2シャフト部は、前記第1および第3シャフト部を越えて、前記長手軸に対して径方向外側に向かって延びていて、前記第1孔部に受けられる寸法にされており、前記第1および第3シャフト部はねじ山が形成され、前記第3シャフト部は、前記第2内側スリーブ孔部にねじ式に係合する寸法にされているシャフトと、
前記長手軸に沿って前記長手軸の周りに延び、前記内側スリーブに接続されて前記内側スリーブを包囲している電気絶縁性外側スリーブであって、第1外側スリーブ貫通孔直径を有する第1外側スリーブ貫通孔部と、前記第1外側スリーブ貫通孔直径よりも小さい第2外側スリーブ貫通孔直径を有する第2外側スリーブ貫通孔部とを備えた外側スリーブ貫通孔を有し、前記第2外側スリーブ貫通孔部は、前記内側スリーブを密接してはまって接続されるように受ける寸法にされている外側スリーブとを備えているコネクタプラグアセンブリであって、
前記第3シャフト部が前記第2内側スリーブ孔部とねじ式に係合し、前記第2外側スリーブ貫通孔部が前記内側スリーブを密接してはまって接続されるように受けたときに、前記第1ねじシャフト部が、前記第1内側スリーブ環状端面および前記外側スリーブから長手方向外側に向かって突出し、前記第3ねじシャフト部が、前記内側スリーブの前記第2内側スリーブ環状端面および前記外側スリーブから長手方向外側に向かって突出する、コネクタプラグアセンブリ。
【請求項１１】
前記第1ねじシャフト部にねじ式に係合する寸法に形成された雌ねじナットをさらに備えている、請求項10に記載のコネクタプラグアセンブリ。
【請求項１２】
前記内側スリーブ、前記シャフトおよび前記外側スリーブが、大略的に円筒形状である、請求項10に記載のコネクタプラグアセンブリ。
【請求項１３】
前記内側スリーブが、前記第1内側スリーブ環状端面と前記第2内側スリーブ環状端面との間を長手方向に延びた長さである内側スリーブ長さを有し、前記外側スリーブが、長手方向に延びた長さである外側スリーブ長さを有し、前記外側スリーブが、第1外側スリーブ環状端面およびその反対側の第2外側スリーブ環状端面を有し、前記外側スリーブ長さは、前記第1および第2外側スリーブ環状端面の間を延びているものであり、前記内側スリーブ長さは、前記外側スリーブ長さよりも長くされている、請求項10に記載のコネクタプラグアセンブリ。
【請求項１４】
前記第2シャフト部が第2シャフト部直径を有しており、前記第2シャフト部直径は前記第2内側スリーブ孔部直径よりも大きくされている、請求項10に記載のコネクタプラグアセンブリ。
【請求項１５】
前記内側スリーブが、内側スリーブ外面と、前記内側スリーブ外面に形成された内側スリーブ周方向溝とを有している、請求項10に記載のコネクタプラグアセンブリ。
【請求項１６】
前記内側スリーブ周方向溝が、前記第2内側スリーブ孔部を包囲している、請求項15に記載のコネクタプラグアセンブリ。
【請求項１７】
前記内側スリーブ周方向溝に受けられる寸法にされた第1内側スリーブシールをさらに備え、前記第2外側スリーブ貫通孔部が前記内側スリーブを密接してはまって接続されるように受けたときに、前記第1内側スリーブシールが、前記内側スリーブおよび前記外側スリーブの両方に接触する、請求項16に記載のコネクタプラグアセンブリ。
【請求項１８】
前記外側スリーブが、全体として前記第1外側スリーブ貫通孔部を形成している上部外側スリーブ部と、前記上部外側スリーブ部と一体的に形成され、前記第2外側スリーブ貫通孔部を形成している底部外側スリーブ部とを有し、前記上部外側スリーブ部は上部外側スリーブ直径を有し、前記底部外側スリーブ部は、前記上部外側スリーブ直径よりも小さい底部外側スリーブ直径を有している、請求項15に記載のコネクタプラグアセンブリ。
【請求項１９】
前記上部外側スリーブ部が、上部外側スリーブ外面と、前記第1外側スリーブ貫通孔部を形成している上部外側スリーブ内面とを有し、前記上部外側スリーブ外面は、その周りを周方向に延びた第1上部外側スリーブ溝を有し、前記上部外側スリーブ内面は、その周りを周方向に延びた第2上部外側スリーブ溝を有している、請求項18に記載のコネクタプラグアセンブリ。
【請求項２０】
前記第1上部外側スリーブ溝に受けられる寸法にされた第1上部外側スリーブＯリングと、前記第2上部外側スリーブ溝に受けられる寸法にされた第2上部外側スリーブＯリングとをさらに備えている、請求項19に記載のコネクタプラグアセンブリ。
【請求項２１】
前記内側スリーブが、第1内側スリーブ円筒部直径を有する第1内側スリーブ円筒部と、前記第1内側スリーブ円筒部直径よりも小さい第2内側スリーブ円筒部直径を有する第2内側スリーブ円筒部とを有し、前記第1および第2内側スリーブ円筒部は一体構造とされている、請求項10に記載のコネクタプラグアセンブリ。
【請求項２２】
前記内側スリーブが、前記第2内側スリーブ円筒部に一体的に接続された内側スリーブ円錐台形部を有し、前記内側スリーブ円錐台形部は、前記第2内側スリーブ環状端面から内側に向かって先細りになっている内側スリーブ円錐台形孔部を形成している、請求項21に記載のコネクタプラグアセンブリ。
【請求項２３】
前記外側スリーブが、外側スリーブ外面を有しており、前記外側スリーブ外面に形成された外向き周方向溝を含んでいる、請求項10に記載のコネクタプラグアセンブリ。
【請求項２４】
前記外側スリーブが、当該外側スリーブの遠位端に配置された第1フランジ要素と、前記第1フランジ要素から離隔して前記第1フランジ要素の近傍に配置された第2フランジ要素とを含み、前記外向き周方向溝が、前記第1および第2フランジ要素の間に配置されている、請求項23に記載のコネクタプラグアセンブリ。
【請求項２５】
前記外側スリーブが、第1外側スリーブ環状端面およびその反対側の第2外側スリーブ環状端面を有し、前記第1フランジ要素が、前記第1外側スリーブ環状端面を形成し、環状開口部を、前記内側スリーブとの間で前記外側スリーブに形成し、前記環状開口部は、前記第1外側スリーブ環状端面から始まって、前記外側スリーブ内へと延びている、請求項24に記載のコネクタプラグアセンブリ。
【請求項２６】
前記シャフトが、鋼または鋼合金で形成されており、前記内側スリーブが、銅または銅合金で形成されている、請求項10に記載のコネクタプラグアセンブリ。
【請求項２７】
長手軸に沿って前記長手軸の周りに延び、第1内側スリーブ環状端面およびその反対側の第2内側スリーブ環状端面を有する導電性内側スリーブであって、前記第1内側スリーブ環状端面から部分的に当該内側スリーブへと、前記長手軸に沿って前記長手軸の周りに延びた第1ねじ孔、および、前記第2内側スリーブ環状端面から部分的に当該内側スリーブへと、前記長手軸に沿って前記長手軸の周りに延びた第2ねじ孔を有する内側スリーブと、
前記長手軸に沿って前記長手軸の周りに延び、第1シャフトねじ部、および、前記第1シャフトねじ部を越えて、前記長手軸に対し径方向外側に延びた頭部を有する第1シャフトであって、前記第1シャフトねじ部は、前記第1ねじ孔にねじ式に係合する寸法にされている第1シャフトと、
前記長手軸に沿って前記長手軸の周りに延び、ねじ山が形成され、前記第2ねじ溝孔にねじ式に係合する寸法にされている第2シャフトと、
前記長手軸に沿って前記長手軸の周りに延び、前記内側スリーブに接続されて前記内側スリーブを包囲している電気絶縁性外側スリーブであって、第1外側スリーブ貫通孔直径を有する第1外側スリーブ貫通孔部、および、前記第1外側スリーブ貫通孔直径よりも小さい第2外側スリーブ貫通孔直径を有する第2外側スリーブ貫通孔部を有する外側スリーブ貫通孔を形成し、前記第2外側スリーブ貫通孔部は、前記内側スリーブを密接してはまって接続されるように受ける寸法にされている外側スリーブとを備えているコネクタプラグアセンブリであって、
前記第1シャフトねじ部が前記第1ねじ孔にねじ式に係合し、前記第2シャフトが前記第2ねじ孔にねじ式に係合し、前記第2外側スリーブ貫通孔部が前記内側スリーブを密接してはまって接続されるように受けると、前記第1シャフトが前記頭部とともに、前記第1内側スリーブ環状端面から長手方向外側に向かって突出し、前記第2シャフトが、前記第2内側スリーブ環状端面から長手方向外側に向かって突出する、コネクタプラグアセンブリ。
【請求項２８】
前記内側スリーブに接続されて、前記内側スリーブを包囲している保持リングをさらに備え、前記保持リングは、第3外側スリーブ貫通孔に密接してはまるように受けられる寸法にされ、前記第3外側スリーブ貫通孔は、前記第1および第2外側スリーブ貫通孔の間に配置されている、請求項27に記載のコネクタプラグアセンブリ。
【請求項２９】
前記内側スリーブが、内側スリーブ本体外径を有する内側スリーブ本体部と、前記内側スリーブ本体外径よりも大きい内側スリーブ環状外径を有する内側スリーブ環状部とを有し、前記内側スリーブ本体部および前記内側スリーブ環状部は、互いに一体的に接続されて、環状段差面を形成している、請求項27に記載のコネクタプラグアセンブリ。
【請求項３０】
前記内側スリーブを包囲し、前記内側スリーブ、前記外側スリーブおよび前記段差面に同時に接触する寸法にされた段差環状シールをさらに備えている、請求項29に記載のコネクタプラグアセンブリ。
【請求項３１】
前記第1および第2本体部材端面の各々が、前記長手軸から径方向に延び、前記第1および第2本体部材端面が、互いに離れて配置され、かつ互いに平行に延びた各第1および第2平面を形成している、請求項1に記載のコネクタプラグアセンブリ。